(57)【特許請求の範囲】
【請求項１】
仕切り材を構成する格子を撤去して支柱、笠木およびけたで構成する既設のバルコニー開口部の内側に、上枠材、下枠材および縦枠材で成るパネル用支持枠を設け、該パネル用支持枠の前記上枠材と下枠材には、前記開口部を閉塞する内外一対の障子の案内レールを設けると共に、取付け部片において前記笠木に重合させて止着した上側格子取付けアタッチと、取付け部片において前記けたに重合させて止着した下側格子取付けアタッチとの間に、面格子をねじ止めして前記案内レールより屋外側に配置した、バルコニー装置。
【発明の詳細な説明】
【０００１】
【産業上の利用分野】
本発明はバルコニー装置に関するものである。
【０００２】
【従来の技術】
均一な品質、材料の取扱い上の便利さ或いは量産に適することから、アルミ押出し形材を主材料としたバルコニーが近年富に用いられているが、該バルコニーの格子などの仕切り材は、笠木、柱などで構成する骨枠に対して固定しているため、該仕切り材の全部若しくは一部が損傷を受けたときは、部分的な補修を行えず、必要に応じてバルコニー全体を建屋から撤去しなければならず、仕切り材の全部若しくは一部の損傷に対する対処手段が望まれている。
【０００３】
本発明は、この対処手段を提供するために創案したものである。
【０００４】
【課題を解決するための手段】
仕切り材を構成する格子を撤去して支柱、笠木およびけたで構成する既設のバルコニー開口部の内側に、上枠材、下枠材および縦枠材で成るパネル用支持枠を設け、該パネル用支持枠の前記上枠材と下枠材には、前記開口部を閉塞する内外一対の障子の案内レールを設けると共に、取付け部片において前記笠木に重合させて止着した上側格子取付けアタッチと、取付け部片において前記けたに重合させて止着した下側格子取付けアタッチとの間に、面格子をねじ止めして前記案内レールより屋外側に配置した構成とするのである。
【０００５】
【実施例】
図面は、本発明の装置を用いたバルコニーの改装例を示し、図１は、改装した状態を示す図５のＸ−Ｘ線に沿う上部側の断面図、図２は改装した状態を示す図５のＸ−Ｘ線に沿う上下方向の中間部の断面図、図３は改装した状態を示す図５のＸ−Ｘ線に沿う下部側の断面図、図４は図２のＹ−Ｙ線に沿う断面図、図５は既設のバルコニーの正面図である。
【０００６】
図中、Ａは、既設の屋根付バルコニーを示し、屋根付きバルコニーＡは、一対の支柱１，１に前笠木２とけた３を架設し、該笠木２とけた３との間にバルコニーＡの内側と外側とを仕切る格子４…を列設し、前記支柱１と建屋側の躯体柱１Ａには側笠木５と妻ばり６を架設し、該妻ばり６と側笠木５との間には、バルコニーＡの側面側において該バルコニーＡの内側と外側とを仕切る格子４…を列設する一方、前記柱１，１間の上部側には前無目７を、また、柱１と躯体柱１Ａ間には側無目８をそれぞれ架設し、これら無目７，８の上側に屋根を配すると共に、前記けた３と妻ばり６，６で取り囲んだ空間部に、デッキ材（床材）９を敷設して構成したものである。
【０００７】
すなわち、実施例は、前記構成に係る屋根付バルコニーＡの改装に本発明を適用したもので、前記バルコニーＡ中より、バルコニーの仕切り材を構成する格子４…を撤去し、支柱１，１、前笠木２およびけた３で構成する前面開口部と、支柱１、側笠木５、妻ばり６および躯体柱１Ａで構成する側面開口部をそれぞれ形成する。
【０００８】
そして、前面開口部の前笠木２の下面に上側格子取付けアタッチ１１の取付け部片１１ａを重合させ、また、けた３の上面に下側格子取付けアタッチ１３の取付け部片１３ａを重合させてねじ１２でそれぞれ止着し、上側格子取付けアタッチ１１の取付け部片１１ａには、パネル用支持枠１４を構成する上枠材１４Ａを重合して、また、下側格子取付けアタッチ１３の取付け部片１３ａにはパネル用支持枠１４を構成する下枠材１４Ｂを重合してそれぞれねじ１５で止着し、また、相対する前記柱１，１の内側には縦枠材１４ｃ，１４ｃを重合させてねじで止着して、前記前面開口部の内側に前記パネル用支持枠１４を形成するのである。
【０００９】
また、側面開口部の側笠木５の下面に側面上側格子取付けアタッチ１６の取付け部片を、妻ばり６の上面に側面下側格子取付けアタッチ１７の取付け部片をそれぞれ重合させてねじで止着し、側面上側格子取付けアタッチ１６の取付け部片には、側面パネル用支持枠１８を構成する上枠材１８Ａを重合して、また、側面下側格子取付けアタッチ１７の取付け部片には側面パネル用支持枠１８を構成する下枠材１８Ｂを重合してそれぞれねじで止着し、また、前記柱１の内側と躯体柱１Ａの外面に縦枠材１８ｃ，１８ｃを重合させてねじ１５で止着して、前記側面開口部の内側に前記側面パネル用支持枠１８を形成するのである。
【００１０】
そして、実施例のものは、前面開口部を構成する前記パネル用支持枠１４および側面開口部を構成する前記側面パネル用支持枠１８のそれぞれに、撤去した前記格子４…に代る仕切り材として互いに引違う内外一対の障子１９Ａ，１９Ｂをパネル体として用い、障子１９Ａ，１９Ｂにより前面開口部９および側面開口部１０を閉塞するようにしたもので、このため、各上枠材１４Ａ，１８Ａおよび下枠材１４Ｂ，１８Ｂには前記障子１９Ａ，１９Ｂの案内レール２０を形成し、かつ、障子開放時に開口部を通じての落下事故を防ぐために、上側格子取付けアタッチ１１，１６と下側格子取付けアタッチ１３，１７との間に面格子２１をねじ止めするのである。
【００１１】
なおまた、実施例の改装装置は、格子４…を撤去した前面開口部と側面開口部を前記格子４に代る障子１９Ａ，１９Ｂ（パネル体）で閉塞するように改装した点にとどまらず、前笠木２、柱１，１および前無目７で構成された上段前面開口部２２と、側笠木５、柱１、側無目８および躯体柱１Ａで構成された上段側面開口部２３も、パネル体である、互いに引違う内外一対の障子２４Ａ，２４Ｂで閉塞するようにして、既設の前記屋根付バルコニーＡを全体として簡易ルームに改装するものである（従って、実施例にあっては、笠木２，５を所謂「無目」に転用して強度上優れた簡易ルームを得られる）。
【００１２】
屋根付バルコニーＡの上段前面開口部２２と上段側面開口部２３の前記障子２４Ａ，２４Ｂによる仕切りは以下のようにして行われる。
【００１３】
上段前面開口部２２の前無目７の下面に上段上側取付けアタッチ２５を重合させて、前笠木２の上面に上段下側取付けアタッチ２６を重合させてねじ１２でそれぞれ止着し、上段上側取付けアタッチ２５には、上段パネル用支持枠２７を構成する上枠材２７Ａを重合して、また、上段下側取付けアタッチ２６には上段パネル用支持枠２７を構成する下枠材２７Ｂをそれぞれねじ１５で止着し、また、相対する前記柱１，１の内側には縦枠材２７ｃ，２７ｃを重合させてねじ１５で止着して、前記上段前面開口部２２の内側に前記上段パネル用支持枠２７を形成するのである。
【００１４】
また、上段側面開口部２３の側無目８の下面に上段側面上側取付けアタッチ２８を、側笠木５の上面に上段側面下側取付けアタッチ２９をそれぞれ重合させてねじで止着し、上段側面上側取付けアタッチ２８には、上段側面パネル用支持枠３０を構成する上枠材３０Ａを重合して、また、上段側面下側格子取る付けアタッチ２９には上段側面パネル用支持枠３０を構成する下枠材３０Ｂをそれぞれねじで止着し、また、前記柱１の内側と躯体柱１Ａの外面に縦枠材３０Ｃ，３０Ｃを重合させてねじ１５で止着して、前記上段側面開口部２３の内側に前記上段側面パネル用支持枠３０を形成するのである。
【００１５】
そして、上段前面開口部２２を構成する前記上段パネル用支持枠２７および上段側面開口部２３を構成する前記上段側面パネル用支持枠３０のそれぞれに、互いに引違う内外一対の障子２４Ａ，２４Ｂをパネル体として用い、障子２４Ａ，２４ｂにより上段前面開口部２２および上段側面開口部２３を閉塞するようにし、このため、各上段上枠材２７Ａ，３０Ａおよび上段下枠材２７Ｂ，３０Ｂには前記障子２４Ａ，２４Ｂの案内レールを形成してある。なお、図中３３は、前無目７に連設した樋枠７ａと前笠木２に止着した支持材３４との間にわたして組付けた、だれ止め用の束、３５は網戸である。
【００１７】
実施例にあっては、各パネル用支持枠１４，１８．２７，３０間の取付け順は自由であるが、少くも格子４…を撤去した後に、各部の取付けは順次行われる。
【００１９】
【発明の効果】
本発明によれば、既設のバルコニーの格子などの仕切り材の損傷に対応してその改装を行うことができ、また、仕切り材の交替を行うことができるから趣味感の変化に対応でき、実用的である。
【図面の簡単な説明】
【図１】改装した状態を示す図５のＸ−Ｘ線に沿う断面図。
【図２】改装した状態を示す図５のＸ−Ｘ線に沿う上下方向の中間部の断面図。
【図３】改装した状態を示す図５のＸ−Ｘ線に沿う下部側の断面図。
【図４】図２のＹ−Ｙ線に沿う断面図。
【図５】既設のバルコニーの正面図。
【符号の説明】
１              支柱
２              前笠木
３              けた
９              前面開口部
１４            パネル用支持枠
１９Ａ，１９Ｂ  障子
【図１】
0004170465.tif 000002
【図２】
0004170465.tif 000003
【図３】
0004170465.tif 000004
【図４】
0004170465.tif 000005
【図５】
0004170465.tif 000006